(57)【要約】【課題】防水構造及び防塵構造を備えた電子機器筐体を提供する。【解決手段】ケース本体１１の上面及び両側面の外周に沿って防水壁４１、４２、４３を所定の間隔で設け、上部防水溝５１ａ、５１ｂ及び側部防水溝６１ａ、６１ｂを形成する。上部防水溝５１ａ、５１ｂは、側部防水溝６１ａ、６１ｂより深く形成して防水効果を高める。ケース本体１１の開口端側に位置する上部防水溝５１ｂ及び側部防水溝６１ｂには、撥水性及び弾力性のある厚さが一定の帯状の防塵パッキン５０を装着する。ケースカバー１２には、上部側縁に沿って防水用突部７１を形成すると共に上面内側に上部突条７２を形成する。上部突条７２はケースカバー１２を閉じたときに上部防水溝５１ｂ内でケース本体１１側の防水壁４３の側部に接すると共に先端が上部防水溝５１ｂ内に所定長さ挿入され、防塵パッキン５０に圧接して防塵作用を持つように構成する。【選択図】      図２
2008166520.tif 000002
【特許請求の範囲】
【請求項１】
前面が開口した合成樹脂製のケース本体と、前記ケース本体に前記前面開口部を覆うように回動可能に設けられるケースカバーと、前記ケース本体の両側面の外周に沿って設けられる側部防水溝と、前記ケース本体の上面の外周に沿って設けられ、前記側部防水溝と連続し、かつ前記側部防水溝より深く形成される上部防水溝と、前記側部防水溝及び上部防水溝内に装着され、前記側部防水溝より所定高さ突出する厚さを持つ撥水性及び弾力性のある帯状の防塵パッキンと、前記ケースカバーの上部内側に前記上部防水溝に対応するように形成され、前記ケースカバーを閉じた際に前記上部防水溝内に挿入されて前記防塵パッキンに圧接する上部突条とを具備することを特徴とする電子機器筐体。
【発明の詳細な説明】
【技術分野】
【０００１】
本発明は、例えばＦＴＴｘ（Fiber To The x）用受信端末等の電子機器筐体に関する。
【背景技術】
【０００２】
近年、ケーブルテレビシステムにおいては、テレビに対するサービスだけでなくインターネットに対するサービスが行なわれるようになってきている。このため高速、大容量のデータ伝送が要求され、従来用いられていた同軸ケーブルに代わって各家庭へ光ファイバを引き込むＦＴＴＨ（Fiber To The Home）、あるいはマンション等の集合住宅やビルなどに設置されている主配線盤（ＭＤＦ：Main Distributing Frame）まで光ケーブルを引き込むＦＴＴＢ（Fiber To The Building）等のＦＴＴｘ（Fiber To The x）システムが普及している。このＦＴＴｘシステムに使用される光受信端末は（例えば、特許文献１参照。）加入者宅に設置される。
【特許文献１】特開平８−１８５１４号公報
【発明の開示】
【発明が解決しようとする課題】
【０００３】
上記ＦＴＴｘシステム等において使用される光受信端末等の電子機器は、合成樹脂製の部材を使用して機器筐体を構成しており、ケースの外側に設けられている取付部を木ネジ等により住宅の外壁面等に垂直に取付けて使用される。
【０００４】
上記のように光受信端末等の電子機器は、一般に住宅の外部壁面等に取付けて使用されるので、防水構造更には防塵構造が要求される。
【０００５】
本発明は上記の課題を解決するためになされたもので、防水構造及び防塵構造を備えた電子機器筐体を提供することを目的とする。
【課題を解決するための手段】
【０００６】
本発明に係る電子機器筐体は、前面が開口した合成樹脂製のケース本体と、前記ケース本体に前記前面開口部を覆うように回動可能に設けられるケースカバーと、前記ケース本体の両側面の外周に沿って設けられる側部防水溝と、前記ケース本体の上面の外周に沿って設けられ、前記側部防水溝と連続し、かつ前記側部防水溝より深く形成される上部防水溝と、前記側部防水溝及び上部防水溝内に装着され、前記側部防水溝より所定高さ突出する厚さを持つ撥水性及び弾力性のある帯状の防塵パッキンと、前記ケースカバーの上部内側に前記上部防水溝に対応するように形成され、前記ケースカバーを閉じた際に前記上部防水溝内に挿入されて前記防塵パッキンに圧接する上部突条とを具備することを特徴とする。
【発明の効果】
【０００７】
本発明によれば、ケースカバーに上部防水溝及び側部防水溝を形成して防水構造とした場合、上部防水溝と側部防水溝の深さが異なっても、ケースカバーの上部内側に上部防水溝に対応するように上部突条を形成し、ケースカバーを閉じた際に上部突条の先端が上部防水溝内に挿入されて防塵パッキンに圧接する構造とすることにより、同じ厚さに形成された安価な防塵パッキンを用いて防塵作用を持たせることができる。
【発明を実施するための最良の形態】
【０００８】
以下、図面を参照して本発明の一実施形態を説明する。  
図１ないし図７は本発明を光受信端末等の電子機器筐体に実施した場合の構成例を示している。  
図１は本発明の一実施形態に係る電子機器筐体の外観構成を示す斜視図、図２はケース本体とケースカバーとを分離した状態を示す斜視図、図３はカバーを閉じた状態を示す図で、（ａ）は正面図、（ｂ）は左側面図である。図４（ａ）は電子機器筐体の一部を断面して示す平面図、同図（ｂ）は同図（ａ）のＢ部を拡大して示す図である。図５は図２のＡ部を拡大して示す図で、（ａ）は防塵パッキンを装着していない状態を示す図、（ｂ）は防塵パッキンを装着した状態を示す図である。図６は図１におけるＡ−Ａ線矢視断面図で、（ａ）は防塵パッキンを装着していない状態を示す図、（ｂ）は防塵パッキンを装着し、ケースカバーを取り外した状態を示す図、（ｃ）は防塵パッキンを装着し、ケースカバーを閉じた状態を示す図である。図７は図１におけるＢ−Ｂ線矢視断面図で、（ａ）は防塵パッキンを装着していない状態を示す図、（ｂ）は防塵パッキンを装着し、ケースカバーを取り外した状態を示す図、（ｃ）は防塵パッキンを装着し、ケースカバーを閉じた状態を示す図である。
【０００９】
図１ないし図４において、１０は例えばＡＢＳ樹脂等の合成樹脂により形成した電子機器筐体で、ケース本体１１、ケースカバー１２により構成される。
【００１０】
上記ケースカバー１２は、ケース本体１１の上面開口部を覆うようにヒンジ部１３により回動可能に設けられる。ヒンジ部１３はケース本体１１の上部両側に設けられ、ケースカバー１２を回動可能に保持している。
【００１１】
上記ケース本体１１の下端及び上端には、底部側の中央にケース取付部１６ａ、１６ｂが突出して設けられ、その中心部には取付穴１７ａ、１７ｂが設けられる。電子機器筐体１０は、上記ケース取付部１６ａ、１６ｂを木ネジ等により例えば住宅の外壁面等に垂直に取付けられる。また、上記ケース本体１１内には、図示しないが電子部品等を装着したシャーシーが取付けられる。
【００１２】
また、ケース本体１１の下側の前面側に弾力性を持たせたフック２１が設けられると共に、ケースカバー１２の下側に上記フック２１に対応する位置に係止溝２２が設けられる。図１に示すようにケースカバー１２を閉じた際に係止溝２２内にフック２１が挿入され、フック２１の上端の爪によりケースカバー１２がロックされるようになっている。ケースカバー１２を閉じた状態では、フック２１の上端が係止溝２２より上部に突出しており、フック２１の上端をケースカバー１２の下方に押すとロックが解除され、ケースカバー１２を上方に回動させて開くことができる。
【００１３】
更に、ケース本体１１には、図２に示すように下側面に複数の接栓取付穴２３が設けられると共に、下側両側にカバー固定部２４が形成される。このカバー固定部２４には、その中心部にネジ形成穴２５が設けられる。一方、ケースカバー１２の前端両側にも上記ケース本体１１のカバー固定部２４に対応させてカバー固定部２６が設けられ、その中心部に設けたネジ形成穴内にネジ２７が螺着される。そして、ケースカバー１２を閉じた状態で、ケースカバー１２側に設けられているネジ２７をケース本体１１側に設けられているカバー固定部２４のネジ形成穴２５に螺着することにより、ケース本体１１に対してケースカバー１２を固定することができる。
【００１４】
ケースカバー１２は、上記したようにヒンジ部１３により回動可能に保持される。このケースカバー１２には、ヒンジ部１３に略半円状の保持部材３１が設けられ、この保持部材３１の半円中心に設けた軸穴３２にヒンジ部１３の軸が嵌合して回動するようになっている。また、ケース本体１１の両側には、上記保持部材３１に近接して開放規制部材３３が設けられる。この開放規制部材３３は、保持部材３１の下側形状に対応した形状を有しており、ケースカバー１２を所定の位置まで開いた際に保持部材３１の外側が開放規制部材３３に当接し、ケースカバー１２が開き過ぎないように規制する。
【００１５】
また、ケース本体１１の上側面には、ケースカバー１２を開いた状態に保持するためのカバー保持部材３４ａ、３４ｂが設けられる。上記カバー保持部材３４ａ、３４ｂは、ケースカバー１２を開いたときに自重で閉じないように保持するためのものである。
【００１６】
そして、上記電子機器筐体１０には、ケース本体１１の外周面とケースカバー１２の内周面との間に、雨等から電子機器を保護する防水機構及び防塵機構が設けられる。
【００１７】
すなわち、図２及び図５に示すようにケース本体１１の上面及び両側面の外周に沿って複数例えば第１ないし第３の防水壁４１、４２、４３を所定の間隔で設け、上部防水溝５１ａ、５１ｂ及び側部防水溝６１ａ、６１ｂを形成してケース内への雨水の浸入を防止し、上部防水溝５１ａ、５１ｂに雨水が侵入した場合には、側部防水溝６１ａ、６１ｂから外部に排出するようにしている。
【００１８】
この場合、上部防水溝５１ａ、５１ｂにおける防水効果を高めるために上部防水溝５１ａ、５１ｂの深さを側部防水溝６１ａ、６１ｂより深く設定する。例えば上部防水溝５１ａ、５１ｂの深さ即ち上面における防水壁４１、４２、４３の高さを約３．２ｍｍ、側部防水溝６１ａ、６１ｂの深さ即ち側面における防水壁４１、４２、４３の高さを約１ｍｍに設定している。また、上部防水溝５１ａ、５１ｂ及び側部防水溝６１ａ、６１ｂの幅即ち４１、４２、４３の間隔は、約５．５ｍｍに設定している。
【００１９】
そして、上記ケース本体１１の開口端側に位置する上部防水溝５１ｂ及び側部防水溝６１ｂには、例えば幅が約５．５ｍｍ、厚さｔが約１．２〜１．５ｍｍの帯状の防塵パッキン５０を接着材等により装着する。上記防塵パッキン５０としては、撥水性及び弾力性のある多孔性の部材例えばポリエチレンフォーム等の単独気泡（独立気泡）型の部材が使用される。
【００２０】
上記ケース本体１１の開口側に位置する防水壁４２、４３は、断面が矩形状で、外周面が同じ高さに設けられる。また、防水壁４１は、ケース本体１１の上面側では防水壁４２、４３と同じ形状であるが、両側面においては図４に示すように他の防水壁４２、４３より高く形成されると共に先端側が階段状に形成され、ケースカバー１２の両側壁の先端側と結合して高い防水作用を持つ構造となっている。このとき防水壁４１の先端位置とケースカバー１２の両側面外側が同一面となるように設定される。上記防水壁４１は、下側面、すなわち底板側の面４４がテーパ状に形成される。また、ケース本体１１の両側面は、防水壁４１より底板側に位置する側面４５がケースカバー１２の側面より低くなっている。
【００２１】
すなわち、ケース本体１１に対してケースカバー１２を閉じた場合、ケース本体１１の両側面においては、図４に示すようにケースカバー１２の側部周縁が防水壁４１に結合する共に、ケースカバー１２の側部内側面が防水壁４２、４３に当接して防水作用を持つように構成している。この場合、ケースカバー１２の側部周縁と防水壁４１との結合によって高い防水作用を有しているが、更に防水壁４１の内側に防水壁４２、４３を設けて防水作用を持たせているので、防水機能を更に向上することができる。
【００２２】
また、ケースカバー１２の側部外側面に対してケース本体１１の側面、すなわち防水壁４１より底板側に位置する側面４５を低く形成し、且つ防水壁４１にテーパ面４４を形成しているので、図４（ｂ）に示すように防水壁４１の部分に雨等が激しく当たり、高い水圧４６が加わる場合であっても、その水圧４６を防水壁４１のテーパ面４４によってケース本体１１の側面４５側に逃がすことができ、防水壁４１とケースカバー１２の結合部に加わる水圧４６を弱めることができる。これにより防水作用を更に高めることができる。
【００２３】
また、ケースカバー１２には、図６に示すように上部側縁に沿って防水用突部７１が形成されると共に、上面内側に上部突条７２が形成される。防水用突部７１は、例えばケースカバー１２の上部側縁をケース本体１１側に折曲げた状態に形成され、ケースカバー１２を閉じたときに上部防水溝５１ａを形成している防水壁４１の外側に当接するように設けられる。
【００２４】
また、上記上部突条７２は、ケースカバー１２を閉じたときに上部防水溝５１ｂ内で防水壁４３の側部に当接して防水効果を持つようにケースカバー１２の上面内側に設けられる。このとき上部突条７２は、先端が上部防水溝５１ｂ内に例えば約２〜２．３ｍｍ挿入され、防塵パッキン５０に圧接して防塵作用を持つように構成される。
【００２５】
上記のように構成された電子機器筐体１０は、上面及び左右両側の外周面に沿って防水構造（防滴構造）を有しており、特に防塵パッキン５０を装着しなくても十分な防水効果を得ることができるが、防塵パッキン５０を装着することにより、更に高い防水効果を得ることができる。
【００２６】
また、上部防水溝５１ａ、５１ｂと側部防水溝６１ａ、６１ｂとは、溝の深さが異なっているが同じ厚さつまり同一断面の防塵パッキン５０を装着した場合でも、ケースカバー１２の上面内部に形成した上部突条７２の作用によって防塵作用を持たせることができる。
【００２７】
すなわち、防塵パッキン５０を装着した場合、ケース本体１１の側部では、図７（ｂ）に示すように側部防水溝６１ｂより防塵パッキン５０の上部が例えば０．２〜０．５ｍｍ程度突出した状態となっており、図７（ｃ）に示すようにケースカバー１２を閉じた時にカバー内側が防塵パッキン５０に圧接し、ケースカバー１２と防塵パッキン５０が密着した状態となって防塵効果を発揮する。
【００２８】
また、ケース本体１１の上部では、図６（ｂ）に示すように防塵パッキン５０の厚さｔより上部防水溝５１ｂの方が深いので、上部防水溝５１ｂでは防塵パッキン５０の上部に空隙を生じるが、図６（ｃ）に示すようにケースカバー１２を閉じると、ケースカバー１２の上部内側に設けた上部突条７２が上部防水溝５１ｂ内の防塵パッキン５０に圧接して防塵機能を持つようになる。この場合、上記のように防塵パッキン５０が上部突条７２に圧接されて圧縮したとのき厚さＡ（図６（ｃ）参照）と側部防水溝６１ａ、６１ｂの深さＢ（図７（ｃ）参照）の値を調整することにより、深さの異なる上部防水溝５１ｂと側部防水溝６１ｂに同一断面の防塵パッキン５０を使用して防塵作用を持たせることができる。すなわち、上部防水溝５１ａ、５１ｂと側部防水溝６１ａ、６１ｂの深さが異なる場合であっても、溝の深さに合わせて防塵パッキン５０の厚さを変える必要はなく、同じ厚さに形成された安価な防塵パッキン５０を用いて防塵作用を持たせることができる。
【００２９】
なお、本発明は、上記実施形態そのままに限定されるものではなく、実施段階ではその要旨を逸脱しない範囲で構成要素を変形して具体化できるものである。
【図面の簡単な説明】
【００３０】
【図１】本発明の一実施形態に係る電子機器筐体の外観構成を示す斜視図である。
【図２】同実施形態におけるケース本体とケースカバーとを分離して示す斜視図である。
【図３】同実施形態における電子機器筐体のカバーを閉じた状態を示し、（ａ）は正面図、（ｂ）は側面図である。
【図４】（ａ）は同実施形態における電子機器筐体の一部を断面して示す平面図、（ｂ）は同図（ａ）のＢ部を拡大して示す図である。
【図５】図２のＡ部を拡大して示す図で、（ａ）は防塵パッキンを装着していない状態を示す図、（ｂ）は防塵パッキンを装着した状態を示す図である。
【図６】図１におけるＡ−Ａ線矢視断面図で、（ａ）は防塵パッキンを装着していない状態を示す図、（ｂ）は防塵パッキンを装着しケースカバーを取り外した状態を示す図、（ｃ）は防塵パッキンを装着し、ケースカバーを閉じた状態を示す図である。
【図７】図１におけるＢ−Ｂ線矢視断面図で、（ａ）は防塵パッキンを装着していない状態を示す図、（ｂ）は防塵パッキンを装着しケースカバーを取り外した状態を示す図、（ｃ）は防塵パッキンを装着し、ケースカバーを閉じた状態を示す図である。
【符号の説明】
【００３１】
１０…電子機器筐体、１１…ケース本体、１２…ケースカバー、１３…ヒンジ部、１６ａ、１６ｂ…ケース取付部、１７ａ、１７ｂ…取付穴、２１…フック、２２…係止溝、２３…接栓取付穴、２４…カバー固定部、２５…ネジ形成穴、２６…カバー固定部、２７…ネジ、３１…保持部材、３２…軸穴、３３…開放規制部材、３４ａ、３４ｂ…カバー保持部材、４１、４２、４３…防水壁、４４…テーパ面、４５…側面、４６…水圧、５０…防塵パッキン、５１ａ、５１ｂ…上部防水溝、６１ａ、６１ｂ…側部防水溝、６１ｂ…側部防水溝、７１…防水用突部、７２…上部突条
【図１】
2008166520.tif 000003
【図２】
2008166520.tif 000004
【図３】
2008166520.tif 000005
【図４】
2008166520.tif 000006
【図５】
2008166520.tif 000007
【図６】
2008166520.tif 000008
【図７】
2008166520.tif 000009